Podtech/llm-jp-corpus-v4-ja_patent huggingface dataset:
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記第３の表示演出では、第１のキャラクタと第２のキャラクタとがバトルをおこなうバトル演出をおこなう演出であり、
前記第１の表示演出がおこなわれる場合には、大当たりが確定し、第１の条件が満たされれば、当該大当たりに基づく大当たり遊技後に遊技者にとって比較的有利な第１の遊技状態に移行し、前記第１の条件とは異なる第２の条件が満たされれば、当該大当たりに基づく大当たり遊技後に遊技者にとって比較的不利な第２の遊技状態に移行し、
前記第２の表示演出がおこなわれる場合には、大当たりが確定しないが、大当たりの場合には、当該大当たりに基づく大当たり遊技後に、前記第１の遊技状態に移行し、
所定の遊技モードでリーチ演出を行う場合には、前記第１の表示演出と前記第２の表示演出のいずれか一方の演出が選択され、  
前記第１の条件が満たされる場合は、前記第３の表示演出におけるバトル演出において、前記第１のキャラクタが前記第２のキャラクタに勝利する場合であり、
前記第２の条件が満たされる場合は、前記第３の表示演出におけるバトル演出において、前記第１のキャラクタが前記第２のキャラクタに敗北する場合である、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記第３の表示演出では、第１のキャラクタと第２のキャラクタとがバトルをおこなうバトル演出をおこなう演出であり、
前記第１の表示演出がおこなわれる場合には、大当たりが確定し、第１の条件が満たされれば、当該大当たりに基づく大当たり遊技後に遊技者にとって比較的有利な第１の遊技状態に移行し、前記第１の条件とは異なる第２の条件が満たされれば、当該大当たりに基づく大当たり遊技後に遊技者にとって比較的不利な第２の遊技状態に移行し、
前記第２の表示演出がおこなわれる場合には、大当たりが確定しないが、大当たりの場合には、当該大当たりに基づく大当たり遊技後に、前記第１の遊技状態に移行し、
所定の遊技モードでリーチ演出を行う場合には、前記第１の表示演出と前記第２の表示演出のいずれか一方の演出が選択され、  
前記第１の条件が満たされる場合は、前記第３の表示演出におけるバトル演出において、前記第１のキャラクタが前記第２のキャラクタに勝利する場合であり、
前記第２の条件が満たされる場合は、前記第３の表示演出におけるバトル演出において、前記第１のキャラクタが前記第２のキャラクタに敗北する場合である、
ことを特徴とする遊技機。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記装飾図柄表示手段による前記装飾図柄の所定変動において、前記複数の装飾図柄を所定の図柄配列で停止する場合、規定の停止位置で停止する場合と、規定の停止位置からズレて停止する場合とがあり、
前記規定の停止位置からズレて停止したときは、前記規定の停止位置で停止したときよりも、前記所定変動後の保留に係わる変動において遊技者に有利な特典が付与されやすく、該遊技者への有利な特典の付与率は、前記ズレて停止したときの図柄配列の種別によって変化する、
ことを特徴とする遊技機。
【手続補正２】
【補正対象書類名】明細書
【補正対象項目名】０００８
【補正方法】変更
【補正の内容】
【０００８】
[適用例１]
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記装飾図柄表示手段による前記装飾図柄の所定変動において、前記複数の装飾図柄を所定の図柄配列で停止する場合、規定の停止位置で停止する場合と、規定の停止位置からズレて停止する場合とがあり、
前記規定の停止位置からズレて停止したときは、前記規定の停止位置で停止したときよりも、前記所定変動後の保留に係わる変動において遊技者に有利な特典が付与されやすく、該遊技者への有利な特典の付与率は、前記ズレて停止したときの図柄配列の種別によって変化する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記第１の表示演出は、通常変動領域において装飾図柄の変動をおこなう演出であり、
前記第２の表示演出は、前記通常変動領域の少なくとも一部において前記装飾図柄が停止するための第１のターゲット領域を表示する演出であり、
前記第３の表示演出は、前記第１のターゲット領域とは異なる領域であって前記通常変動領域の少なくとも一部において前記装飾図柄が停止するための第２のターゲット領域を表示する演出であり、
前記第４の表示演出は、所定の演出をおこなう演出であり、
前記第１の表示演出と前記第２の表示演出と前記第３の表示演出と前記第４の表示演出とを含む組み合わせ演出がおこなわれる場合があり、
前記組み合わせ演出では、前記第１の表示演出がおこなわれ、その後、前記第２の表示演出と前記第３の表示演出とがおこなわれ、前記第２の表示演出において前記第１のターゲット領域に前記装飾図柄が停止表示し、かつ、前記第３の表示演出において前記第２のターゲット領域に前記装飾図柄が停止表示したことに基づいて、前記第４の表示演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記第１の表示演出は、通常変動領域において装飾図柄の変動をおこなう演出であり、
前記第２の表示演出は、前記通常変動領域の少なくとも一部において前記装飾図柄が停止するための第１のターゲット領域を表示する演出であり、
前記第３の表示演出は、前記第１のターゲット領域とは異なる領域であって前記通常変動領域の少なくとも一部において前記装飾図柄が停止するための第２のターゲット領域を表示する演出であり、
前記第４の表示演出は、所定の演出をおこなう演出であり、
前記第１の表示演出と前記第２の表示演出と前記第３の表示演出と前記第４の表示演出とを含む組み合わせ演出がおこなわれる場合があり、
前記組み合わせ演出では、前記第１の表示演出がおこなわれ、その後、前記第２の表示演出と前記第３の表示演出とがおこなわれ、前記第２の表示演出において前記第１のターゲット領域に前記装飾図柄が停止表示し、かつ、前記第３の表示演出において前記第２のターゲット領域に前記装飾図柄が停止表示したことに基づいて、前記第４の表示演出がおこなわれる、
ことを特徴とする遊技機。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備える遊技機であって、
第１の背景画像を前記表示手段に表示する第１の表示演出がおこなわれ、
前記第１の表示演出がおこなわれているときに、大当たりを表す第１の大当たり図柄配列を前記表示手段に表示する第２の表示演出がおこなわれ、
前記第２の表示演出における前記第１の大当たり図柄配列は、前記第１の表示演出の前記第１の背景画像の手前に表示され、
前記第１の表示演出がおこなわれているときに、第２の背景画像を前記表示手段に表示する第３の表示演出がおこなわれ、
前記第３の表示演出における前記第２の背景画像は、前記第１の表示演出における前記第１の背景画像の手前に配置され、
前記第３の表示演出がおこなわれているときに、大当たりを表す第２の大当たり図柄配列を前記表示手段に表示する第４の表示演出がおこなわれ、
前記第４の表示演出における前記第２の大当たり図柄配列は、前記第３の表 示演出の前記第２の背景画像の手前に表示される、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備える遊技機であって、
第１の背景画像を前記表示手段に表示する第１の表示演出がおこなわれ、
前記第１の表示演出がおこなわれているときに、大当たりを表す第１の大当たり図柄配列を前記表示手段に表示する第２の表示演出がおこなわれ、
前記第２の表示演出における前記第１の大当たり図柄配列は、前記第１の表示演出の前記第１の背景画像の手前に表示され、
前記第１の表示演出がおこなわれているときに、第２の背景画像を前記表示手段に表示する第３の表示演出がおこなわれ、
前記第３の表示演出における前記第２の背景画像は、前記第１の表示演出における前記第１の背景画像の手前に配置され、
前記第３の表示演出がおこなわれているときに、大当たりを表す第２の大当たり図柄配列を前記表示手段に表示する第４の表示演出がおこなわれ、
前記第４の表示演出における前記第２の大当たり図柄配列は、前記第３の表 示演出の前記第２の背景画像の手前に表示される、
ことを特徴とする遊技機。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備える遊技機であって、
前記複数の表示演出のうちの一つの演出として、大当たり期待度の向上が期待できるチャンスアップ演出への発展を示唆する所定のキャラクタを表示するキャラクタ演出がおこなわれる場合があり、
前記キャラクタ演出では、装飾図柄を停止させてリーチ状態が形成され、前記リーチ状態を形成する前記装飾図柄と共に大当たり図柄配列を形成し得る特定の装飾図柄が第１の透過度で移動し、前記リーチ状態におけるリーチライン上に、特定の装飾図柄が移動してきた場合において、前記特定の装飾図柄が前記第１の透過度よりも高い第２の透過度で表示され、前記特定の装飾図柄が前記第２の透過度で表示されることにより、前記特定の装飾図柄の背後に配置された前記所定のキャラクタが視認可能に表示されるものであり、
前記キャラクタ演出において前記所定のキャラクタが表示されることにより、前記チャンスアップ演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備える遊技機であって、
前記複数の表示演出のうちの一つの演出として、大当たり期待度の向上が期待できるチャンスアップ演出への発展を示唆する所定のキャラクタを表示するキャラクタ演出がおこなわれる場合があり、
前記キャラクタ演出では、装飾図柄を停止させてリーチ状態が形成され、前記リーチ状態を形成する前記装飾図柄と共に大当たり図柄配列を形成し得る特定の装飾図柄が第１の透過度で移動し、前記リーチ状態におけるリーチライン上に、特定の装飾図柄が移動してきた場合において、前記特定の装飾図柄が前記第１の透過度よりも高い第２の透過度で表示され、前記特定の装飾図柄が前記第２の透過度で表示されることにより、前記特定の装飾図柄の背後に配置された前記所定のキャラクタが視認可能に表示されるものであり、
前記キャラクタ演出において前記所定のキャラクタが表示されることにより、前記チャンスアップ演出がおこなわれる、
ことを特徴とする遊技機。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、第１の装飾図柄であり、
前記複数種類の画像のうちの一つは、第２の装飾図柄であり、
前記複数種類の画像のうちの一つは、第３の装飾図柄であり、
前記表示手段に、前記第１の装飾図柄と、前記第２の装飾図柄と、前記第３の装飾図柄とが変動表示される第１の演出を実行可能であり、
前記第１の演出における前記変動表示は、前記第１の装飾図柄と、前記第２の装飾図柄と、前記第３の装飾図柄とがそれぞれ第１の方向に沿って移動するものであり、前記変動表示の開始時には、前記第１の装飾図柄と、前記第２の装飾図柄と、前記第３の装飾図柄が順に前記第１の方向の一方側に向かって移動した後、順に前記第１の方向の他方側に向かって移動するものであり、
前記第２の装飾図柄は前記第１の方向の一方側から他方側に移動方向が切り替わるとき、前記第１の装飾図柄および前記第３の装飾図柄よりも前記第１の方向の一方側に位置し、
前記第１の装飾図柄が前記第１の方向の一方側から他方側に移動方向が切り替わるとき、前記第２の装飾図柄は前記第３の装飾図柄よりも前記第１の方向の一方側に位置する
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、第１の装飾図柄であり、
前記複数種類の画像のうちの一つは、第２の装飾図柄であり、
前記複数種類の画像のうちの一つは、第３の装飾図柄であり、
前記表示手段に、前記第１の装飾図柄と、前記第２の装飾図柄と、前記第３の装飾図柄とが変動表示される第１の演出を実行可能であり、
前記第１の演出における前記変動表示は、前記第１の装飾図柄と、前記第２の装飾図柄と、前記第３の装飾図柄とがそれぞれ第１の方向に沿って移動するものであり、前記変動表示の開始時には、前記第１の装飾図柄と、前記第２の装飾図柄と、前記第３の装飾図柄が順に前記第１の方向の一方側に向かって移動した後、順に前記第１の方向の他方側に向かって移動するものであり、
前記第２の装飾図柄は前記第１の方向の一方側から他方側に移動方向が切り替わるとき、前記第１の装飾図柄および前記第３の装飾図柄よりも前記第１の方向の一方側に位置し、
前記第１の装飾図柄が前記第１の方向の一方側から他方側に移動方向が切り替わるとき、前記第２の装飾図柄は前記第３の装飾図柄よりも前記第１の方向の一方側に位置する
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、或る時点に達するまでの残りの期間を示す第１のタイマーであり、
前記複数種類の画像のうちの一つは、或る時点に達するまでの残りの期間を示す第２のタイマーであり、
前記表示手段に、前記第１のタイマーと、前記第２のタイマーとが表示され、前記第１のタイマーは始動している状態で前記表示手段の第１の位置で表示が維持され、前記第２のタイマーは始動していない状態で前記表示手段の第２の位置で表示が維持される第１の演出と、
前記第１の演出の後、前記第２のタイマーが始動する第２の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、或る時点に達するまでの残りの期間を示す第１のタイマーであり、
前記複数種類の画像のうちの一つは、或る時点に達するまでの残りの期間を示す第２のタイマーであり、
前記表示手段に、前記第１のタイマーと、前記第２のタイマーとが表示され、前記第１のタイマーは始動している状態で前記表示手段の第１の位置で表示が維持され、前記第２のタイマーは始動していない状態で前記表示手段の第２の位置で表示が維持される第１の演出と、
前記第１の演出の後、前記第２のタイマーが始動する第２の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段とを備えた遊技機であって、
前記表示手段は、前記複数の表示演出のうちの一つの演出として、所定の第１演出を実行可能であり、
前記表示手段は、前記複数の表示演出のうちの一つの演出として、所定の第２演出を実行可能であり、
前記第１演出は、遊技の進行に伴って実行される演出時に遊技者によって操作される操作手段に係わる表示を含む演出であり、
前記第２演出は、エラーに関連する表示を含む演出であり、
前記表示手段は、前記第１演出の表示よりも、前記第２演出の表示を手前側に表示し、前記操作手段に係わる表示の一部または全部を前記エラーに関連する表示で覆う場合があり、
前記エラーに関連する表示は、皿満タンを検知したときの玉抜きに関連する表示であって、玉抜き操作部の位置を示す第１画像と、玉抜き操作を促すメッセージを示す第２画像を含み、
前記第１画像および前記第２画像は当該エラーが解消されたことに起因して消去される一方、当該エラーが解消されていない場合であっても、前記第１画像は所定時間表示されると消去され、前記第２画像は当該エラーが解消されるまで継続して表示される、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段とを備えた遊技機であって、
前記表示手段は、前記複数の表示演出のうちの一つの演出として、所定の第１演出を実行可能であり、
前記表示手段は、前記複数の表示演出のうちの一つの演出として、所定の第２演出を実行可能であり、
前記第１演出は、遊技の進行に伴って実行される演出時に遊技者によって操作される操作手段に係わる表示を含む演出であり、
前記第２演出は、エラーに関連する表示を含む演出であり、
前記表示手段は、前記第１演出の表示よりも、前記第２演出の表示を手前側に表示し、前記操作手段に係わる表示の一部または全部を前記エラーに関連する表示で覆う場合があり、
前記エラーに関連する表示は、皿満タンを検知したときの玉抜きに関連する表示であって、玉抜き操作部の位置を示す第１画像と、玉抜き操作を促すメッセージを示す第２画像を含み、
前記第１画像および前記第２画像は当該エラーが解消されたことに起因して消去される一方、当該エラーが解消されていない場合であっても、前記第１画像は所定時間表示されると消去され、前記第２画像は当該エラーが解消されるまで継続して表示される、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
複数の演出を実行可能な演出手段と、
複数の表示を所定の表示画面に表示可能な表示手段と、
可動役物と、
を備えた遊技機であって、
前記複数の表示の１つは、第一の表示であり、
前記第一の表示は、装飾図柄を変動後停止することによる大当たりまたはハズレの表示であり、
前記複数の表示の１つは、第二の表示であり、
前記第二の表示は、前記装飾図柄とは異なる或る文字画像または前記装飾図柄および前記文字画像とは異なる或るマーク画像の表示であり、
前記複数の演出の１つは、第一の演出であり、
前記第一の演出は、前記装飾図柄の変動中に前記第二の表示をおこなう演出であり、
前記複数の演出の１つは、第二の演出であり、
前記第二の演出は、前記装飾図柄の変動中に前記可動役物を前記表示画面上に進出する演出であり、
前記可動役物は、前記文字画像と同様な文字または前記マーク画像と同様なマークを有する表示体を備え、
前記大当たりの期待度は、前記第一の演出における前記第二の表示が、前記第二の演出における前記可動役物の進出と関連して表示されたか否かによって変化する、
ことを特徴とする遊技機。
【手続補正２】
【補正対象書類名】明細書
【補正対象項目名】０００８
【補正方法】変更
【補正の内容】
【０００８】
[適用例１]
複数の演出を実行可能な演出手段と、
複数の表示を所定の表示画面に表示可能な表示手段と、
可動役物と、
を備えた遊技機であって、
前記複数の表示の１つは、第一の表示であり、
前記第一の表示は、装飾図柄を変動後停止することによる大当たりまたはハズレの表示であり、
前記複数の表示の１つは、第二の表示であり、
前記第二の表示は、前記装飾図柄とは異なる或る文字画像または前記装飾図柄および前記文字画像とは異なる或るマーク画像の表示であり、
前記複数の演出の１つは、第一の演出であり、
前記第一の演出は、前記装飾図柄の変動中に前記第二の表示をおこなう演出であり、
前記複数の演出の１つは、第二の演出であり、
前記第二の演出は、前記装飾図柄の変動中に前記可動役物を前記表示画面上に進出する演出であり、
前記可動役物は、前記文字画像と同様な文字または前記マーク画像と同様なマークを有する表示体を備え、
前記大当たりの期待度は、前記第一の演出における前記第二の表示が、前記第二の演出における前記可動役物の進出と関連して表示されたか否かによって変化する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の装飾図柄を用いて第１のリーチライン上でリーチ状態を形成する演出であり、
前記第５の表示演出は、第５の装飾図柄を用いて第２のリーチライン上でリーチ状態を形成する演出であり、
前記第２の表示演出は、前記第１の装飾図柄よりも透過性が高い第２の装飾図柄を第１の位置に表示し前記第１の装飾図柄よりも透過性が高い第３の装飾図柄を前記第１の位置とは異なる第２の位置に表示し、
前記第３の表示演出は、前記第２の装飾図柄を前記第１の位置から移動させ、前記第３の装飾図柄を前記第２の位置から移動させて、前記第２の装飾図柄と前記第３の装飾図柄とを前記第１のリーチライン上または前記第２のリーチライン上で重畳させて、前記第２の装飾図柄、および、前記第３の装飾図柄よりも透過性が低い第４の装飾図柄が生成される演出であり、
前記第４の表示演出は、前記第１のリーチラインおよび前記第２のリーチラインとは異なるライン上において、前記第１の装飾図柄と前記第４の装飾図柄とを用いて大当たり図柄配列が形成される演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出と前記第５の表示演出とがおこなわれ、前記第１の表示演出と前記第５の表示演出とがおこなわれているときに、前記第２の表示演出がおこなわれ、前記第２の表示演出の後に前記第３の表示演出がおこなわれ、前記第３の表示演出の後に前記第４の表示演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の装飾図柄を用いて第１のリーチライン上でリーチ状態を形成する演出であり、
前記第５の表示演出は、第５の装飾図柄を用いて第２のリーチライン上でリーチ状態を形成する演出であり、
前記第２の表示演出は、前記第１の装飾図柄よりも透過性が高い第２の装飾図柄を第１の位置に表示し前記第１の装飾図柄よりも透過性が高い第３の装飾図柄を前記第１の位置とは異なる第２の位置に表示し、
前記第３の表示演出は、前記第２の装飾図柄を前記第１の位置から移動させ、前記第３の装飾図柄を前記第２の位置から移動させて、前記第２の装飾図柄と前記第３の装飾図柄とを前記第１のリーチライン上または前記第２のリーチライン上で重畳させて、前記第２の装飾図柄、および、前記第３の装飾図柄よりも透過性が低い第４の装飾図柄が生成される演出であり、
前記第４の表示演出は、前記第１のリーチラインおよび前記第２のリーチラインとは異なるライン上において、前記第１の装飾図柄と前記第４の装飾図柄とを用いて大当たり図柄配列が形成される演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出と前記第５の表示演出とがおこなわれ、前記第１の表示演出と前記第５の表示演出とがおこなわれているときに、前記第２の表示演出がおこなわれ、前記第２の表示演出の後に前記第３の表示演出がおこなわれ、前記第３の表示演出の後に前記第４の表示演出がおこなわれる、
ことを特徴とする遊技機。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
複数の演出を実行可能な演出手段と、
複数の表示を表示可能な表示手段と、
を備えた遊技機であって、
前記複数の表示の１つは、第一の表示であり、
前記第一の表示は、文字表示であり、
前記複数の演出の１つは、第一の演出であり、
前記第一の演出は、前記文字表示における文字の一部が、表示画面からはみ出した態様で表示される演出であり、
前記文字表示は、複数の文字からなり、
前記第一の演出は、前記複数の文字からなる前記文字表示のうちの特定の文字を拡大して前記表示画面からはみ出した態様で表示する、
ことを特徴とする遊技機。
【手続補正２】
【補正対象書類名】明細書
【補正対象項目名】０００８
【補正方法】変更
【補正の内容】
【０００８】
[適用例１]
複数の演出を実行可能な演出手段と、
複数の表示を表示可能な表示手段と、
を備えた遊技機であって、
前記複数の表示の１つは、第一の表示であり、
前記第一の表示は、文字表示であり、
前記複数の演出の１つは、第一の演出であり、
前記第一の演出は、前記文字表示における文字の一部が、表示画面からはみ出した態様で表示される演出であり、
前記文字表示は、複数の文字からなり、
前記第一の演出は、前記複数の文字からなる前記文字表示のうちの特定の文字を拡大して前記表示画面からはみ出した態様で表示する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
前記表示手段の前方に進出可能な可動役物と、を備えた遊技機であって、
前記複数種類の画像のうちの一つは、或る時点に達するまでの残りの期間を示す第１のタイマーであり、
前記複数種類の画像のうちの一つは、或る時点に達するまでの残りの期間を示す第２のタイマーであり、
前記表示手段に、前記第１のタイマーと前記第２のタイマーとが表示される第１の演出と、
前記第１の演出の後、前記可動役物の進出によって前記第２のタイマーの少なくとも一部が視認困難になる第２の演出と、を実行可能であり、
前記第１の演出において、前記第１のタイマーが始動していない状態で、前記第２のタイマーは始動しており、
前記第２の演出において、前記第１のタイマーは始動しておらず、
前記第２の演出の後、前記可動役物が後退して前記第２のタイマーが視認可能となる第３の演出と、
前記第３の演出の後、前記第１のタイマーが始動する第４の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
前記表示手段の前方に進出可能な可動役物と、を備えた遊技機であって、
前記複数種類の画像のうちの一つは、或る時点に達するまでの残りの期間を示す第１のタイマーであり、
前記複数種類の画像のうちの一つは、或る時点に達するまでの残りの期間を示す第２のタイマーであり、
前記表示手段に、前記第１のタイマーと前記第２のタイマーとが表示される第１の演出と、
前記第１の演出の後、前記可動役物の進出によって前記第２のタイマーの少なくとも一部が視認困難になる第２の演出と、を実行可能であり、
前記第１の演出において、前記第１のタイマーが始動していない状態で、前記第２のタイマーは始動しており、
前記第２の演出において、前記第１のタイマーは始動しておらず、
前記第２の演出の後、前記可動役物が後退して前記第２のタイマーが視認可能となる第３の演出と、
前記第３の演出の後、前記第１のタイマーが始動する第４の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
入射した光子の数を計数する計数手段と、前記計数手段を、前記光子の数を計数する第１の状態と、前記光子の数を計数しない第２の状態とのいずれに設定するかを選択する選択手段と、をそれぞれ有する複数の画素と、
それぞれの前記画素における前記計数手段による計数結果に基づいて、前記画素に入射した光に応じた画像を生成する生成手段とを備え、
前記選択手段は、第１の露光期間に前記画素に入射する光量に応じて、前記第１の露光期間よりも後に行われる第２の露光期間において、前記計数手段を前記第１の状態に設定するか、前記第２の状態に設定するかを選択することを特徴とする撮像装置。
【請求項２】
前記計数手段は、光子の入射に伴いアバランシェ電流を発生する第１の発生手段と、前記アバランシェ電流の波形に基づいてパルスを発生する第２の発生手段と、該第２の発生手段が発生したパルスを計数するカウンタとを有することを特徴とする請求項１に記載の撮像装置。
【請求項３】
前記選択手段は、前記第１の発生手段がアバランシェ電流を発生しない状態に設定することにより、前記計数手段を前記第２の状態に設定することを特徴とする請求項２に記載の撮像装置。
【請求項４】
前記選択手段は、前記第１の露光期間においては、前記計数手段を前記第１の状態に設定することを特徴とする請求項１乃至３のいずれか１項に記載の撮像装置。
【請求項５】
前記選択手段は、前記第１の露光期間において前記画素に入射する光量が多いほど、前記第２の状態の累積時間が長くなるように、前記計数手段の状態を設定することを特徴とする請求項４に記載の撮像装置。
【請求項６】
前記選択手段は、前記複数の画素ごとに、前記計数手段を前記第１の状態と前記第２の状態のいずれに設定するかを選択することを特徴とする請求項１乃至５のいずれか１項に記載の撮像装置。
【請求項７】
前記第１の露光期間と前記第２の露光期間は、それぞれ、所定の露光期間を等間隔に分割した複数の分割露光期間のうちの１つであり、前記選択手段は、前記分割露光期間の単位で、前記計数手段を前記第１の状態に設定するか、前記第２の状態に設定するかを選択することを特徴とする請求項１乃至６のいずれか１項に記載の撮像装置。
【請求項８】
前記複数の分割露光期間に入射した光に応じた計数結果を混合する混合手段をさらに備え、前記混合手段は、前記計数手段が前記第２の状態に設定されている分割露光期間における計数結果として、直前の前記計数手段が前記第１の状態に設定されている分割露光期間における計数結果を用いることを特徴とする請求項７に記載の撮像装置。
【請求項９】
前記選択手段は、前記計数手段が前記第１の状態に設定されている分割露光期間における計数結果に応じて、前記第２の露光期間において、前記計数手段を前記第１の状態に設定するか、前記第２の状態に設定するかを選択することを特徴とする請求項７または８に記載の撮像装置。
【請求項１０】
前記計数手段が前記第１の状態に設定されている分割露光期間における計数結果を閾値と比較する比較手段をさらに備え、前記選択手段は、前記比較手段の比較結果に応じて、前記第２の露光期間において、前記計数手段を前記第１の状態に設定するか、前記第２の状態に設定するかを選択することを特徴とする請求項９に記載の撮像装置。
【請求項１１】
前記比較手段は、撮影条件に応じて前記閾値を異ならせることを特徴とする請求項１０に記載の撮像装置。
【請求項１２】
前記第１の露光期間は、所定の露光期間より前に行われた露光期間であることを特徴とする請求項１乃至６のいずれか１項に記載の撮像装置。
【請求項１３】
入射した光子の数を計数する計数手段と、前記計数手段を、前記光子の数を計数する第１の状態と、前記光子の数を計数しない第２の状態とのいずれに設定するかを選択する選択手段と、をそれぞれ有する複数の画素と、それぞれの前記画素における前記計数手段による計数結果に基づいて、前記画素に入射した光に応じた画像を生成する生成手段とを備える撮像装置を制御する方法であって、
前記選択手段が、第１の露光期間に前記画素に入射する光量に応じて、前記第１の露光期間よりも後に行われる第２の露光期間において、前記計数手段を前記第１の状態に設定するか、前記第２の状態に設定するかを選択する工程を有することを特徴とする撮像装置の制御方法。
【請求項１４】
請求項１３に記載の制御方法をコンピュータに実行させるためのプログラム。
【請求項１５】
請求項１３に記載の制御方法をコンピュータに実行させるためのプログラムを記憶したコンピュータが読み取り可能な記憶媒体。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
板状の第１電極と、前記第１電極に垂直な方向から見た平面視において前記第１電極と重なる位置に配置される板状の第２電極と、前記第１電極と前記第２電極とを短絡する短絡部と、を有するアンテナと、
平面視で前記第１電極と重なる位置に配置される板状の導体部と、を有し
前記第２電極は、側面視で前記第１電極と前記導体部との間に配置され、
前記第２電極と前記導体部とを電気的に接続する接続部、
を有する電子機器。
【請求項２】
前記平面視において、前記第１電極の重心を通る仮想の第１直線上に前記短絡部が配置され、
前記平面視において、前記重心を通り前記第１直線と直交する仮想の第２直線上に前記接続部が配置され、
前記平面視において、前記短絡部、前記接続部、および前記重心は、互いに重ならない、
請求項１に記載の電子機器。
【請求項３】
前記アンテナと電気的に接続される回路基板と、
内部導体と前記平面視で前記内部導体を包囲する外部導体とを有する同軸ケーブルと、を有し、
前記導体部は、前記回路基板に設けられる導電性の薄膜であり、
前記接続部は、前記外部導体であり、
前記回路基板は、前記内部導体によって前記第１電極と電気的に接続される、
請求項１または２に記載の電子機器。
【請求項４】
前記第１電極、前記第２電極、前記導体部のうち１または複数が、導体板である、
請求項１から３のいずれか一つに記載の電子機器。
【請求項５】
前記第１電極、前記第２電極、前記導体部のうち１または複数が、非導体の基板に設けられる導電性の薄膜である、
請求項１から３のいずれか一つに記載の電子機器。
【請求項６】
板状の第１電極と、前記第１電極に垂直な方向から見た平面視において前記第１電極と重なる位置に配置される第２電極と、前記第１電極と前記第２電極とを短絡する短絡部と、を有するアンテナと、
前記平面視で前記第１電極と重なる位置に配置される板状の第１導体部材と、前記平面視で前記第１電極と重なる位置に配置される板状の第２導体部材と、前記第１導体部材と前記第２導体部材とを電気的に接続する接続部とを有する導体部と、を、有し、
前記第２電極は、側面視で前記第１電極と前記導体部との間に配置される、
電子機器。
【請求項７】
前記第２電極と前記第１導体部材との間の最短距離は、前記アンテナの共振周波数の波長の１０分の１以下である、
請求項６に記載の電子機器。
【請求項８】
前記第１電極、前記第２電極、前記第１導体部材、前記第２導体部材のうち１または複数が、導体板である、
請求項６または７に記載の電子機器。
【請求項９】
前記第１電極、前記第２電極、前記第１導体部材、前記第２導体部材のうち１または複数が、非導体の基板に設けられる導電性の薄膜である、
請求項６または７に記載の電子機器。
【請求項１０】
前記接続部が、複数設けられる、
請求項１、２、６、７、８、または、９に記載の電子機器。
【請求項１１】
前記電子機器は、電子時計であって、
前記アンテナが配置される金属ケースを有する、
請求項１から１０のいずれか一つに記載の電子機器。
【請求項１２】
前記金属ケースと前記導体部とを電気的に接続する金属ケース接続部を有する、請求項１１に記載の電子機器。
【請求項１３】
前記アンテナで受信した信号を処理する受信回路を備え、
前記アンテナは、給電部を備え、
前記第１電極と前記受信回路とは、前記給電部を介して電気的に接続され、
前記給電部は、前記第２電極とは離間している、
請求項１から１２のいずれか一つに記載の電子機器。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
電力変換回路を構成する複数の電子部品（１０）と、
上記複数の電子部品に含まれるコンデンサ素子（１１）を含むコンデンサモジュール（２）と、
上記複数の電子部品及び上記コンデンサモジュールを収容する装置ケース（３０）と、
を備え、
上記コンデンサモジュールは、上記装置ケースの内側底面（３１）に立設された第１の締結部（４１）と第２の締結部（４２）とを含む複数の締結部（４０）によって上記装置ケースに固定されており、
上記複数の電子部品のうち上記コンデンサ素子以外の少なくとも一つは、上記コンデンサモジュールに取り付けられているとともに、上記第１の締結部と上記第２の締結部との並び方向に直交する方向であって上記装置ケースの上記内側底面に平行な方向から見て上記第１の締結部と上記第２の締結部との間に位置しており、
上記コンデンサモジュールに取り付けられた上記電子部品は、上記第１の締結部と上記第２の締結部との並び方向に直交する方向であって上記内側底面に平行な方向から見て、上記コンデンサ素子よりも上記締結部の少なくとも一つに近くなるように延設された延設部を有し、
上記延設部は、上記締結部の高さ方向に突出している、電力変換装置（１）。
【請求項２】
上記複数の締結部の中で上記コンデンサモジュールに取り付けられた上記電子部品に最も近い位置に位置している締結部は、上記内側底面からの高さが上記複数の締結部の中で最も高い、請求項１に記載の電力変換装置。
【請求項３】
電力変換回路を構成する複数の電子部品（１０）と、
上記複数の電子部品に含まれるコンデンサ素子（１１）を含むコンデンサモジュール（２）と、
上記複数の電子部品及び上記コンデンサモジュールを収容する装置ケース（３０）と、
を備え、
上記コンデンサモジュールは、上記装置ケースの内側底面（３１）に立設された第１の締結部（４１）と第２の締結部（４２）とを含む複数の締結部（４０）によって上記装置ケースに固定されており、
上記複数の電子部品のうち上記コンデンサ素子以外の少なくとも一つは、上記コンデンサモジュールに取り付けられているとともに、上記第１の締結部と上記第２の締結部との並び方向に直交する方向であって上記装置ケースの上記内側底面に平行な方向から見て上記第１の締結部と上記第２の締結部との間に位置しており、
上記複数の締結部は、上記内側底面からの高さが互いに異なるものを含んでおり、
上記複数の締結部の中で上記コンデンサモジュールに取り付けられた上記電子部品に最も近い位置に位置している締結部は、上記内側底面からの高さが上記複数の締結部の中で最も高い、電力変換装置（１）。
【請求項４】
上記コンデンサモジュールに取り付けられた上記電子部品は、上記第１の締結部と上記第２の締結部との並び方向に直交する方向であって上記内側底面に平行な方向から見て、上記コンデンサ素子よりも上記締結部の少なくとも一つに近くなるように延設された延設部を有する、請求項３に記載の電力変換装置。
【請求項５】
上記延設部は、上記締結部の高さ方向に突出している、請求項４に記載の電力変換装置。
【請求項６】
上記コンデンサ素子はコンデンサケース（２０）に収容されており、
該コンデンサケースは、該コンデンサケースの一方の面に開口形成された開口面（２３）と、該開口面と反対側の面に凹状に形成された凹部（２４）と、を有し、
該凹部内には、上記第１の締結部が配置される締結部配置部（２４１）と、上記第１の締結部に締結される第１の被締結部（２５）と、該第１の被締結部を挟んで上記締結部配置部の反対側に締結用のネジを取り付けるためのネジ取り付け部（２４２）を有する、請求項１〜５のいずれか一項に記載の電力変換装置。
【請求項７】
上記凹部において、上記ネジ取り付け部の肉厚は、上記締結部配置部の肉厚よりも大きい、請求項６に記載の電力変換装置。
【請求項８】
上記コンデンサモジュールに取り付けられた上記電子部品は、放電抵抗（１２）及び／又は放電回路（１３）を構成している、請求項１〜７のいずれか一項に記載の電力変換装置。
【手続補正２】
【補正対象書類名】明細書
【補正対象項目名】０００６
【補正方法】変更
【補正の内容】
【０００６】
本発明の一態様は、電力変換回路を構成する複数の電子部品（１０）と、
上記複数の電子部品に含まれるコンデンサ素子（１１）を含むコンデンサモジュール（２）と、
上記複数の電子部品及び上記コンデンサモジュールを収容する装置ケース（３０）と、
を備え、
上記コンデンサモジュールは、上記装置ケースの内側底面（３１）に立設された第１の締結部（４１）と第２の締結部（４２）とを含む複数の締結部（４０）によって上記装置ケースに固定されており、
上記複数の電子部品のうち上記コンデンサ素子以外の少なくとも一つは、上記コンデンサモジュールに取り付けられているとともに、上記第１の締結部と上記第２の締結部との並び方向に直交する方向であって上記装置ケースの上記内側底面に平行な方向から見て上記第１の締結部と上記第２の締結部との間に位置しており、
上記コンデンサモジュールに取り付けられた上記電子部品は、上記第１の締結部と上記第２の締結部との並び方向に直交する方向であって上記内側底面に平行な方向から見て、上記コンデンサ素子よりも上記締結部の少なくとも一つに近くなるように延設された延設部を有し、
上記延設部は、上記締結部の高さ方向に突出している、電力変換装置（１）にある。
また、本発明の他の態様は、電力変換回路を構成する複数の電子部品（１０）と、
上記複数の電子部品に含まれるコンデンサ素子（１１）を含むコンデンサモジュール（２）と、
上記複数の電子部品及び上記コンデンサモジュールを収容する装置ケース（３０）と、
を備え、
上記コンデンサモジュールは、上記装置ケースの内側底面（３１）に立設された第１の締結部（４１）と第２の締結部（４２）とを含む複数の締結部（４０）によって上記装置ケースに固定されており、
上記複数の電子部品のうち上記コンデンサ素子以外の少なくとも一つは、上記コンデンサモジュールに取り付けられているとともに、上記第１の締結部と上記第２の締結部との並び方向に直交する方向であって上記装置ケースの上記内側底面に平行な方向から見て上記第１の締結部と上記第２の締結部との間に位置しており、
上記複数の締結部は、上記内側底面からの高さが互いに異なるものを含んでおり、
上記複数の締結部の中で上記コンデンサモジュールに取り付けられた上記電子部品に最も近い位置に位置している締結部は、上記内側底面からの高さが上記複数の締結部の中で最も高い、電力変換装置（１）にある。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
特殊伐採技術の習熟度を提示する方法であって、
作業者がロアリング作業を実施した際の落下物の落下状態に関する情報を計測するステップと、
前記計測した情報に基づいて、前記作業者の習熟度を提示するステップと、を含む、方法。
【請求項２】
前記習熟度を提示するステップは、
少なくとも前記落下物の落下速度と時間の関係に基づいた前記習熟度を提示することを特徴とする、請求項１に記載の方法。
【請求項３】
前記習熟度を提示するステップは、
少なくとも前記落下物の落下速度と時間の関係を表すグラフを表示することを含む、請求項２に記載の方法。
【請求項４】
前記ロアリング作業は、
地面に対して略直立して設置される施工技術習得装置に設置される第１のリギング滑車に通される第１のリギングラインの一端に樹木の一端を取り付けるステップと、
当該樹木を投下させるステップと、
前記樹木を投下角度制御装置に接触させることにより、前記樹木を前記第１のリギングラインに一端から取り外すステップであって、前記樹木の他端は、第２のリギング滑車に通される第２のリギングラインの一端に接続され、当該第２のリギング滑車は、前記施工技術習得装置の、前記第１のリギング滑車に対して下方に固定される、ステップと、
所定の角度で樹木を投下させるステップと、を含む、請求項１〜３のいずれか１項に記載の方法。
【請求項５】
特殊伐採技術の学習用のプログラムであって、
コンピュータに、
作業者がロアリング作業を実施した際の落下物の落下状態に関する情報を取得する処理と、
前記取得した情報に基づいて、前記作業者の習熟度を提示する処理と、実行させるプログラム。
【請求項６】
特殊伐採技術の学習用システムであって、
作業者がロアリング作業を実施した際の落下状態に関する情報を計測する計測手段と、
前記計測したデータに基づいて、前記作業者の習熟度を提示する情報処理装置手段とを備える、学習用システム。